(57)【要約】  本発明は、データ送信方法および装置ならびにコンピュータ記憶メディアを開示する。本発明では、所定のＤＭＲＳポート順序付け規則に従って送信に使用されるＤＭＲＳポートにデータ層をマッピングし、送信を実行できるようにする。本発明の実施形態において提供されるデータ送信方法は、所定の復調基準信号（ＤＭＲＳ）ポート順序付け規則を決定するステップと、前記所定のＤＭＲＳポート順序付け規則に従って送信に使用されるＤＭＲＳポートにデータ層をマッピングし、データ層を端末に送信するステップとを備える。
2021505022.tif 000002
【特許請求の範囲】
【請求項１】
所定の復調基準信号（ＤＭＲＳ）ポート順序付け規則を決定するステップと、
前記所定のＤＭＲＳポート順序付け規則に従って送信に使用されるＤＭＲＳポートにデータ層をマッピングし、データ層を端末に送信するステップと
を備えることを特徴とするデータ送信方法。
【請求項２】
所定のＤＭＲＳポート順序付け規則に従って送信に使用されるＤＭＲＳポートにデータ層をマッピングし、データ層を端末に送信することは、
多入力多出力（ＭＩＭＯ）の並列送信データ層の数ｖに基づいて、各データ層をシリアル番号に従って以下の送信信号ベクトルに構成し、
【数１】
2021505022.tif 000066
ｖ個のＤＭＲＳポートにより形成される以下の信号ベクトルを決定し、
【数２】
2021505022.tif 000067
以下の式に従ってｖ個のデータ層をｖ個のＤＭＲＳポートにマッピングし、前記データ層を端末に送信し、
【数３】
2021505022.tif 000068
ここで、
【数４】
2021505022.tif 000069
であり、ｉは、各データ層で送信の必要がある
【数５】
2021505022.tif 000070
個の変調シンボルのうちのｉ番目の変調シンボルを表し、Ｐ０,…，Ｐｖ-１は、ｖ個のＤＭＲＳポートのシリアル番号を表すことを特徴とする請求項１に記載のデータ送信方法。
【請求項３】
ＤＭＲＳポートの準コロケーションＱＣＬグループ情報を決定し、
前記ＱＣＬグループ情報を端末に通知することを特徴とする請求項２に記載のデータ送信方法。
【請求項４】
ＱＣＬグループまたはＣＤＭグループが１つしかない場合、前記Ｐ０<Ｐ１<,…，Ｐｖ-１であることを特徴とする請求項３に記載のデータ送信方法。
【請求項５】
複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定することを特徴とする請求項３に記載のデータ送信方法。
【請求項６】
前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合であることを特徴とする請求項５に記載のデータ送信方法。
【請求項７】
以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行することを特徴とする請求項６に記載のデータ送信方法。
【請求項８】
前記ＱＣＬグループ情報は、以下の情報のうちの１つを含む：
ＤＭＲＳパターンでは、各コード分割多重ＣＤＭグループとＱＣＬ関係を持つ基準信号に対応する識別子と、
ＱＣＬグループに含まれるＣＤＭグループと、
ＱＣＬグループに含まれるＤＭＲＳポートリストと
を備え、
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じであることを特徴とする請求項３に記載のデータ送信方法。
【請求項９】
無線リソース制御（ＲＲＣ）構成、または、メディアアクセス制御（ＭＡＣ）制御ユニット（ＣＥ）、または、ダウンリンク制御情報（ＤＣＩ）、ブロードキャスト、マルチキャストまたは端末固有の方式で、前記ＤＭＲＳポートのＱＣＬグループ情報を前記端末に通知することを特徴とする請求項３に記載のデータ送信方法。
【請求項１０】
所定の復調基準信号（ＤＭＲＳ）ポート順序付け規則を決定するステップと、
前記所定のＤＭＲＳポート順序付け規則に従ってＤＭＲＳポートにマッピングされて送信されたデータ層を受信するステップと
を備えることを特徴とするデータ受信方法。
【請求項１１】
前記所定のＤＭＲＳポート順序付け規則に従ってＤＭＲＳポートにマッピングされて送信されたデータ層を受信することは、
多入力多出力（ＭＩＭＯ）の並列送信データ層の数ｖに基づいて、各データ層をシリアル番号に従って以下の送信信号ベクトルに構成し、
【数６】
2021505022.tif 000071
ｖ個のＤＭＲＳポートにより形成される以下の信号ベクトルを決定し、
【数７】
2021505022.tif 000072
以下の式に従って送信に使用されるＤＭＲＳポートにマッピングされてから送信されたデータ層を受信し、
【数８】
2021505022.tif 000073
ここで、
【数９】
2021505022.tif 000074
であり、ｉは、各データ層で送信の必要がある
【数１０】
2021505022.tif 000075
個の変調シンボルのうちのｉ番目の変調シンボルを表し、Ｐ０,…，Ｐｖ-１は、ｖ個のＤＭＲＳポートのシリアル番号を表すことを特徴とする請求項１０に記載のデータ受信方法。
【請求項１２】
ネットワーク側によって通知されたＤＭＲＳポートの準コロケーションＱＣＬグループ情報を受信することを特徴とする請求項１１に記載のデータ受信方法。
【請求項１３】
ＱＣＬグループまたはＣＤＭグループが１つしかない場合、前記Ｐ０<Ｐ１<,…，Ｐｖ-１であることを特徴とする請求項１２に記載のデータ受信方法。
【請求項１４】
複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定することを特徴とする請求項１２に記載のデータ受信方法。
【請求項１５】
前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合であることを特徴とする請求項１４に記載のデータ受信方法。
【請求項１６】
以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行することを特徴とする請求項１５に記載のデータ受信方法。
【請求項１７】
前記ＱＣＬグループ情報は、
ＤＭＲＳパターンでは、各コード分割多重ＣＤＭグループとＱＣＬ関係を持つ基準信号に対応する識別子と、
ＱＣＬグループに含まれるＣＤＭグループと、
ＱＣＬグループに含まれるＤＭＲＳポートリストと
のうちの１つを含み、
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じであることを特徴とする請求項１２に記載のデータ受信方法。
【請求項１８】
ブロードキャスト、マルチキャストまたは端末固有の方式で前記通知を受信し、前記通知内の無線リソース制御（ＲＲＣ）構成、または、メディアアクセス制御（ＭＡＣ）制御ユニット（ＣＥ）、または、ダウンリンク制御情報（ＤＣＩ）から前記ＤＭＲＳポートのＱＣＬグループ情報を取得することを特徴とする請求項１２に記載のデータ受信方法。
【請求項１９】
メモリと、プロセッサとを備え、前記メモリはプログラム命令を格納するように構成され、
前記プロセッサは、前記メモリに格納されたプログラム命令を呼び出し、取得したプログラムに従って以下の動作を実行するように構成され、
所定の復調基準信号（ＤＭＲＳ）ポート順序付け規則を決定し、
前記所定のＤＭＲＳポート順序付け規則に従って送信に使用されるＤＭＲＳポートにデータ層をマッピングし、データ層を端末に送信することを特徴とするデータ送信装置。
【請求項２０】
前記プロセッサ所定のＤＭＲＳポート順序付け規則に従って送信に使用されるＤＭＲＳポートにデータ層をマッピングし、データ層を端末に送信することは、
多入力多出力（ＭＩＭＯ）の並列送信データ層の数ｖに基づいて、各データ層をシリアル番号に従って以下の送信信号ベクトルに構成し、
【数１１】
2021505022.tif 000076
ｖ個のＤＭＲＳポートにより形成される以下の信号ベクトルを決定し、
【数１２】
2021505022.tif 000077
以下の式に従ってｖ個のデータ層をｖ個のＤＭＲＳポートにマッピングし、前記データ層を端末に送信し、
【数１３】
2021505022.tif 000078
ここで、
【数１４】
2021505022.tif 000079
ｉは、各データ層で送信の必要がある
【数１５】
2021505022.tif 000080
個の変調シンボルのうちのｉ番目の変調シンボルを表し、Ｐ０,…，Ｐｖ-１は、ｖ個のＤＭＲＳポートのシリアル番号を表すことを特徴とする請求項１９に記載のデータ送信装置。
【請求項２１】
前記プロセッサは、
ＤＭＲＳポートの準コロケーションＱＣＬグループ情報を決定し、
前記ＱＣＬグループ情報を端末に通知することを特徴とする請求項２０に記載のデータ送信装置。
【請求項２２】
ＱＣＬグループまたはＣＤＭグループが１つしかない場合、前記Ｐ０<Ｐ１<,…，Ｐｖ-１であることを特徴とする請求項２１に記載のデータ送信装置。
【請求項２３】
複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定することを特徴とする請求項２１に記載のデータ送信装置。
【請求項２４】
前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合であることを特徴とする請求項２３に記載のデータ送信装置。
【請求項２５】
以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行することを特徴とする請求項２４に記載のデータ送信装置。
【請求項２６】
前記ＱＣＬグループ情報は、
ＤＭＲＳパターンでは、各コード分割多重ＣＤＭグループとＱＣＬ関係を持つ基準信号に対応する識別子と、
ＱＣＬグループに含まれるＣＤＭグループっと、
ＱＣＬグループに含まれるＤＭＲＳポートリストと
のうちの１つを含み、
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じであることを特徴とする請求項２１に記載のデータ送信装置。
【請求項２７】
前記プロセッサ無線リソース制御（ＲＲＣ）構成、または、メディアアクセス制御（ＭＡＣ）制御ユニット（ＣＥ）、または、ダウンリンク制御情報（ＤＣＩ）、ブロードキャスト、マルチキャストまたは端末固有の方式で、前記ＤＭＲＳポートのＱＣＬグループ情報を前記端末に通知することを特徴とする請求項２１に記載のデータ送信装置。
【請求項２８】
メモリと、プロセッサとを備え、前記メモリはプログラム命令を格納するように構成され、前記プロセッサは、前記メモリに格納されたプログラム命令を呼び出し、取得したプログラムに従って以下の動作を実行するように構成され、
所定のＤＭＲＳポート順序付け規則を決定し、
前記所定のＤＭＲＳポート順序付け規則に従って復調基準信号（ＤＭＲＳ）ポートにマッピングされてから送信されたデータ層を受信することを特徴とするデータ受信装置。
【請求項２９】
前記所定のＤＭＲＳポート順序付け規則に従って復調基準信号（ＤＭＲＳ）ポートにマッピングされてから送信されたデータ層を受信することは、
多入力多出力（ＭＩＭＯ）の並列送信データ層の数ｖに基づいて、各データ層をシリアル番号に従って以下の送信信号ベクトルに構成し、
【数１６】
2021505022.tif 000081
ｖ個のＤＭＲＳポートにより形成される以下の信号ベクトルを決定し、
【数１７】
2021505022.tif 000082
以下の式に従って送信に使用されるＤＭＲＳポートにマッピングされてから送信されたデータ層を受信し、
【数１８】
2021505022.tif 000083
ここで、
【数１９】
2021505022.tif 000084
であり、ｉは、各データ層で送信の必要がある
【数２０】
2021505022.tif 000085
個の変調シンボルのうちのｉ番目の変調シンボルを表し、Ｐ０,…，Ｐｖ-１は、ｖ個のＤＭＲＳポートのシリアル番号を表すことを特徴とする請求項２８に記載のデータ受信装置。
【請求項３０】
前記プロセッサは、ネットワーク側によって通知されたＤＭＲＳポートの準コロケーションＱＣＬグループ情報を受信することを特徴とする請求項２９に記載のデータ受信装置。
【請求項３１】
ＱＣＬグループまたはＣＤＭグループが１つしかない場合、前記Ｐ０<Ｐ１<,…，Ｐｖ-１であることを特徴とする請求項３０に記載のデータ受信装置。
【請求項３２】
複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定することを特徴とする請求項３０に記載のデータ受信装置。
【請求項３３】
前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合であることを特徴とする請求項３２に記載のデータ受信装置。
【請求項３４】
前記プロセッサ以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行することを特徴とする請求項３３に記載のデータ受信装置。
【請求項３５】
前記ＱＣＬグループ情報は、ＤＭＲＳパターンでは、各コード分割多重ＣＤＭグループとＱＣＬ関係を持つ基準信号に対応する識別子と、
ＱＣＬグループに含まれるＣＤＭグループと、
ＱＣＬグループに含まれるＤＭＲＳポートリストと
のうちの１つを含み、
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じであることを特徴とする請求項３０に記載のデータ受信装置。
【請求項３６】
前記プロセッサは、ブロードキャスト、マルチキャストまたは端末固有の方式で前記通知を受信し、前記通知内の無線リソース制御（ＲＲＣ）構成、または、メディアアクセス制御（ＭＡＣ）制御ユニット（ＣＥ）、または、ダウンリンク制御情報（ＤＣＩ）から前記ＤＭＲＳポートのＱＣＬグループ情報を取得することを特徴とする請求項３０に記載のデータ受信装置。
【請求項３７】
所定の復調基準信号（ＤＭＲＳ）ポート順序付け規則を決定するように構成された決定ユニットと、
前記所定のＤＭＲＳポート順序付け規則に従って送信に使用されるＤＭＲＳポートにデータ層をマッピングし、データ層を端末に送信するように構成された送信ユニットと
を備えることを特徴とするデータ送信装置。
【請求項３８】
所定の復調基準信号（ＤＭＲＳ）ポート順序付け規則を決定するように構成された決定ユニットと、
前記所定のＤＭＲＳポート順序付け規則に従ってＤＭＲＳポートにマッピングされて送信されたデータ層を受信するように構成された受信ユニットと
を備えることを特徴とするデータ受信装置。
【請求項３９】
請求項１から請求項１８のいずれか一項に記載の方法をコンピュータに実行させるために使用される、コンピュータ実行可能命令を格納するコンピュータ記憶メディア。
【発明の詳細な説明】
【技術分野】
【０００１】
関連出願の相互参照
本出願は、２０１７年１１月２４日に中国特許局に提出し、出願番号が２０１７１１１９２５５４．６であり、発明名称が「データ送信方法および装置ならびにコンピュータ記憶メディア」との中国特許出願を基礎とする優先権を主張し、その開示の総てをここに取り込む。
【０００２】
本発明は、通信技術分野に関し、特にデータ送信方法および装置ならびにコンピュータ記憶メディアに関する。
【背景技術】
【０００３】
新しい無線（Ｎｅｗ Ｒａｄｉｏ，ＮＲ）システムでは、データ復調プロセスは、復調基準信号（Ｄｅｍｏｄｕｌａｔｉｏｎ Ｒｅｆｅｒｅｎｃｅ Ｓｉｇｎａｌ，ＤＭＲＳ）に基づくチャネル推定を必要とする。従来技術では、ＮＲシステムのＤＭＲＳは、対応するデータ層と同じプリコーディング方法で送信される。
【発明の概要】
【発明が解決しようとする課題】
【０００４】
本発明の実施形態は、データ送信方法および装置ならびにコンピュータ記憶メディアを提供し、所定のＤＭＲＳポート順序付け規則に従って送信に使用されるＤＭＲＳポートにデータ層をマッピングし、送信を実行できるようにする。
【課題を解決するための手段】
【０００５】
ネットワーク側では、本出願の実施形態で提供されるデータ送信方法は、
所定の復調基準信号（ＤＭＲＳ）ポート順序付け規則を決定するステップと、
前記所定のＤＭＲＳポート順序付け規則に従って送信に使用されるＤＭＲＳポートにデータ層をマッピングし、データ層を端末に送信するステップとを備える。
【０００６】
当該データ送信方法を採用することによって、所定の復調基準信号（ＤＭＲＳ）ポート順序付け規則を決定し、かつ、前記所定のＤＭＲＳポート順序付け規則に従って送信に使用されるＤＭＲＳポートにデータ層をマッピングし、データ層を端末に送信する。こうして、所定のＤＭＲＳポート順序付け規則に従って送信に使用されるＤＭＲＳポートにデータ層をマッピングし、送信を実行できるようにする。
【０００７】
任意選択で、所定のＤＭＲＳポート順序付け規則に従って送信に使用されるＤＭＲＳポートにデータ層をマッピングし、データ層を端末に送信するステップは、
多入力多出力（Ｍｕｌｔｉｐｌｅ−Ｉｎｐｕｔ Ｍｕｌｔｉｐｌｅ−Ｏｕｔｐｕｔ,ＭＩＭＯ）の並列送信データ層の数ｖに基づいて、各データ層をシリアル番号に従って以下の送信信号ベクトルを構成する：
【０００８】
【数１】
2021505022.tif 000003
【０００９】
ｖ個のＤＭＲＳポートにより形成される以下の信号ベクトルを決定する：
【００１０】
【数２】
2021505022.tif 000004
【００１１】
以下の式に従ってｖ個のデータ層をｖ個のＤＭＲＳポートにマッピングし、前記データ層を端末に送信する：
【００１２】
【数３】
2021505022.tif 000005
【００１３】
ここで、
【数４】
2021505022.tif 000006
ｉは、各データ層で送信の必要がある
【数５】
2021505022.tif 000007
個の変調シンボルのうちのｉ番目の変調シンボルを表し、Ｐ０,…，Ｐｖ-１は、ｖ個のＤＭＲＳポートのシリアル番号を表す。
【００１４】
任意選択で、当該方法ではさらに、
ＤＭＲＳポートの準コロケーション（Ｑｕａｓｉ−Ｃｏ−Ｌｏｃａｔｉｏｎ,ＱＣＬ）グループ情報を決定し、
前記ＱＣＬグループ情報を端末に通知する。
【００１５】
任意選択で、ＱＣＬグループまたはＣＤＭ（Ｃｏｄｅ Ｄｉｖｉｓｉｏｎ Ｍｕｌｔｉｐｌｅｘｉｎｇ，コード分割多重）グループが１つしかない場合、前記Ｐ０<Ｐ１<,…，Ｐｖ-１である。
【００１６】
任意選択で、複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定する。
【００１７】
任意選択で、前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合である。
【００１８】
任意選択で、以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行し、または、
各ＤＭＲＳポートサブ集合に対応するＣＤＭグループまたはＱＣＬグループのシリアル番号に基づいて、前記ＤＭＲＳポートサブ集合間の順序付けを実行し、または、
各ＤＭＲＳポートサブ集合に含まれるＤＭＲＳポートの数に基づいて、前記ＤＭＲＳポートサブ集合間の順序付けを実行する。
【００１９】
任意選択で、前記ＱＣＬグループ情報は、
ＤＭＲＳパターンでは、各コード分割多重ＣＤＭグループとＱＣＬ関係を持つ基準信号に対応する識別子と、
ＱＣＬグループに含まれるＣＤＭグループと、
ＱＣＬグループに含まれるＤＭＲＳポートリストとのうちの１つを含み、
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じである。
【００２０】
任意選択で、無線リソース制御（ＲＲＣ）（Ｒａｄｉｏ Ｒｅｓｏｕｒｃｅ Ｃｏｎｔｒｏｌ）構成、または、メディアアクセス制御（ＭＡＣ）（Ｍｅｄｉａ Ａｃｃｅｓｓ Ｃｏｎｔｒｏｌ）制御ユニット（ＣＥ）（Ｃｏｎｔｒｏｌ Ｅｌｅｍｅｎｔ）、または、ダウンリンク制御情報（ＤＣＩ）（Ｄｏｗｎｌｉｎｋ Ｃｏｎｔｒｏｌ Ｉｎｆｏｒｍａｔｉｏｎ），ブロードキャスト、マルチキャストまたは端末固有の方式で、前記ＤＭＲＳポートのＱＣＬグループ情報を前記端末に通知する。
【００２１】
対応の端末側では、本発明の実施形態において提供されるデータ受信方法は、
所定のＤＭＲＳポート順序付け規則を決定するステップと、
前記所定のＤＭＲＳポート順序付け規則に従って復調基準信号（ＤＭＲＳ）ポートにマッピングされてから送信されたデータ層を受信するステップとを備える。
【００２２】
任意選択で、前記所定のＤＭＲＳポート順序付け規則に従って復調基準信号（ＤＭＲＳ）ポートにマッピングされてから送信されたデータ層を受信することは、具体的に、
多入力多出力（ＭＩＭＯ）の並列送信データ層の数ｖに基づいて、各データ層をシリアル番号に従って以下の送信信号ベクトルを構成する：
【００２３】
【数６】
2021505022.tif 000008
【００２４】
ｖ個のＤＭＲＳポートにより形成される以下の信号ベクトルを決定する：
【００２５】
【数７】
2021505022.tif 000009
【００２６】
以下の式に従って送信に使用されるＤＭＲＳポートにマッピングされてから送信されたデータ層を受信する：
【００２７】
【数８】
2021505022.tif 000010
【００２８】
ここで、
【数９】
2021505022.tif 000011
であり、ｉは、各データ層で送信の必要がある
【数１０】
2021505022.tif 000012
個の変調シンボルのうちのｉ番目の変調シンボルを表し、Ｐ０,…，Ｐｖ-１は、ｖ個のＤＭＲＳポートのシリアル番号を表す。
【００２９】
任意選択で、当該方法では、ネットワーク側によって通知されたＤＭＲＳポートの準コロケーションＱＣＬグループ情報を受信する。
【００３０】
任意選択で、ＱＣＬグループまたはＣＤＭグループが１つしかない場合、前記Ｐ０<Ｐ１<,…，Ｐｖ-１である。
【００３１】
任意選択で、複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定する。
【００３２】
任意選択で、前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合である。
【００３３】
任意選択で、以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行する。
【００３４】
任意選択で、前記ＱＣＬグループ情報は、
ＤＭＲＳパターンでは、各コード分割多重ＣＤＭグループとＱＣＬ関係を持つ基準信号に対応する識別子と、
ＱＣＬグループに含まれるＣＤＭグループと、
ＱＣＬグループに含まれるＤＭＲＳポートリストとのうちの１つを含み、
同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じである。
【００３５】
任意選択で、ブロードキャスト、マルチキャストまたは端末固有の方式で前記通知を受信し、前記通知内の無線リソース制御（ＲＲＣ）構成、または、メディアアクセス制御（ＭＡＣ）制御ユニット（ＣＥ）、または、ダウンリンク制御情報（ＤＣＩ）から前記ＤＭＲＳポートのＱＣＬグループ情報を取得する。
【００３６】
ネットワーク側では、本発明の実施形態において提供されるデータ送信装置は、メモリと、プロセッサとを備え、前記メモリはプログラム命令を格納するように構成され、前記プロセッサは、前記メモリに格納されたプログラム命令を呼び出し、取得したプログラムに従って以下の動作を実行するように構成され、
所定の復調基準信号（ＤＭＲＳ）ポート順序付け規則を決定し、
前記所定のＤＭＲＳポート順序付け規則に従って送信に使用されるＤＭＲＳポートにデータ層をマッピングし、データ層を端末に送信する。
【００３７】
任意選択で、前記プロセッサ所定のＤＭＲＳポート順序付け規則に従って送信に使用されるＤＭＲＳポートにデータ層をマッピングし、データ層を端末に送信することは、具体的には以下を含む。
【００３８】
多入力多出力（ＭＩＭＯ）の並列送信データ層の数ｖに基づいて、各データ層をシリアル番号に従って以下の送信信号ベクトルを構成する：
【００３９】
【数１１】
2021505022.tif 000013
【００４０】
ｖ個のＤＭＲＳポートにより形成される以下の信号ベクトルを決定する：
【００４１】
【数１２】
2021505022.tif 000014
【００４２】
以下の式に従ってｖ個のデータ層をｖ個のＤＭＲＳポートにマッピングし、前記データ層を端末に送信する：
【００４３】
【数１３】
2021505022.tif 000015
【００４４】
ここで、
【数１４】
2021505022.tif 000016
であり、ｉは、各データ層で送信の必要がある
【数１５】
2021505022.tif 000017
個の変調シンボルのうちのｉ番目の変調シンボルを表し、Ｐ０,…，Ｐｖ-１は、ｖ個のＤＭＲＳポートのシリアル番号を表す。
【００４５】
任意選択で、前記プロセッサはさらに、
ＤＭＲＳポートの準コロケーションＱＣＬグループ情報を決定し、
前記ＱＣＬグループ情報を端末に通知する。
【００４６】
任意選択で、ＱＣＬグループまたはＣＤＭグループが１つしかない場合、前記Ｐ０<Ｐ１<,…，Ｐｖ-１である。
【００４７】
任意選択で、複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定する。
【００４８】
任意選択で、前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合である。
【００４９】
任意選択で、以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行する。
【００５０】
任意選択で、前記ＱＣＬグループ情報は、ＤＭＲＳパターンでは、各コード分割多重ＣＤＭグループとＱＣＬ関係を持つ基準信号に対応する識別子と、ＱＣＬグループに含まれるＣＤＭグループと、ＱＣＬグループに含まれるＤＭＲＳポートリストとのうちの１つを含む。ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じである。
【００５１】
任意選択で、前記プロセッサ無線リソース制御（ＲＲＣ）構成、または、メディアアクセス制御（ＭＡＣ）制御ユニット（ＣＥ）、または、ダウンリンク制御情報（ＤＣＩ）、ブロードキャスト、マルチキャストまたは端末固有の方式で、前記ＤＭＲＳポートのＱＣＬグループ情報を前記端末に通知する。
【００５２】
端末側では、本発明の実施形態において提供されるデータ受信装置は、メモリと、プロセッサとを備え、前記メモリはプログラム命令を格納するように構成され、前記プロセッサは、前記メモリに格納されたプログラム命令を呼び出し、取得したプログラムに従って以下の動作を実行するように構成され、
所定のＤＭＲＳポート順序付け規則を決定し、
前記所定のＤＭＲＳポート順序付け規則に従って復調基準信号（ＤＭＲＳ）ポートにマッピングされてから送信されたデータ層を受信する。
【００５３】
任意選択で、前記所定のＤＭＲＳポート順序付け規則に従って復調基準信号（ＤＭＲＳ）ポートにマッピングされてから送信されたデータ層を受信することは、具体的に、
多入力多出力（ＭＩＭＯ）の並列送信データ層の数ｖに基づいて、各データ層をシリアル番号に従って以下の送信信号ベクトルを構成する：
【００５４】
【数１６】
2021505022.tif 000018
【００５５】
ｖ個のＤＭＲＳポートにより形成される以下の信号ベクトルを決定する：
【００５６】
【数１７】
2021505022.tif 000019
【００５７】
以下の式に従って送信に使用されるＤＭＲＳポートにマッピングされてから送信されたデータ層を受信する：
【００５８】
【数１８】
2021505022.tif 000020
【００５９】
ここで、
【数１９】
2021505022.tif 000021
であり、ｉは、各データ層で送信の必要がある
【数２０】
2021505022.tif 000022
個の変調シンボルのうちのｉ番目の変調シンボルを表し、Ｐ０,…，Ｐｖ-１は、ｖ個のＤＭＲＳポートのシリアル番号を表す。
【００６０】
任意選択で、前記プロセッサはさらに、ネットワーク側によって通知されたＤＭＲＳポートの準コロケーションＱＣＬグループ情報を受信する。
【００６１】
任意選択で、ＱＣＬグループまたはＣＤＭグループが１つしかない場合、前記Ｐ０<Ｐ１<,…，Ｐｖ-１である。
【００６２】
任意選択で、複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定する。
【００６３】
任意選択で、前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合である。
【００６４】
任意選択で、前記プロセッサ以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行する。
【００６５】
任意選択で、前記ＱＣＬグループ情報は、
ＤＭＲＳパターンでは、各コード分割多重ＣＤＭグループとＱＣＬ関係を持つ基準信号に対応する識別子と、
ＱＣＬグループに含まれるＣＤＭグループと、
ＱＣＬグループに含まれるＤＭＲＳポートリストと
のうちの１つを含み、
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じである。
【００６６】
任意選択で、前記プロセッサは、ブロードキャスト、マルチキャストまたは端末固有の方式で前記通知を受信し、前記通知内の無線リソース制御（ＲＲＣ）構成、または、メディアアクセス制御（ＭＡＣ）制御ユニット（ＣＥ）、または、ダウンリンク制御情報（ＤＣＩ）から前記ＤＭＲＳポートのＱＣＬグループ情報を取得する。
【００６７】
ネットワーク側では、本発明の実施形態に提供される別のデータ送信装置は、
所定の復調基準信号（ＤＭＲＳ）ポート順序付け規則を決定するように構成された決定ユニットと、
前記所定のＤＭＲＳポート順序付け規則に従って送信に使用されるＤＭＲＳポートにデータ層をマッピングし、データ層を端末に送信するように構成された送信ユニットとを備える。
【００６８】
端末側では、本発明の実施形態に提供される別のデータ受信装置は、
所定のＤＭＲＳポート順序付け規則を決定するように構成された決定ユニットと、
前記所定のＤＭＲＳポート順序付け規則に従って復調基準信号（ＤＭＲＳ）ポートにマッピングされてから送信されたデータ層を受信するように構成された受信ユニットとを備える。
【００６９】
本発明の他の実施形態は、上述のいずれかの方法をコンピュータに実行させるために使用される、コンピュータ実行可能命令を格納するコンピュータ記憶メディアを提供する。
【図面の簡単な説明】
【００７０】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００７１】
【図１】本発明の実施形態において提供される第１のＤＭＲＳパターンの概略図である。
【図２】本発明の実施形態において提供される第２のＤＭＲＳパターンの概略図である。
【図３】本発明の実施形態において提供される第３のＤＭＲＳパターンの概略図である。
【図４】本発明の実施形態において提供される第４のＤＭＲＳパターンの概略図である。
【図５】本発明の実施形態において提供されるデータ送信方法のフロー図である。
【図６】本発明の実施形態において提供されるデータ受信方法のフロー図である。
【図７】本発明の実施形態において提供されるデータ送信装置の構造図である。
【図８】本発明の実施形態において提供されるデータ受信装置の構造図である。
【図９】本発明の実施形態において提供される別のデータ送信装置の構造図である。
【図１０】本発明の実施形態において提供される別のデータ受信装置の構造図である。
【発明を実施するための形態】
【００７２】
本発明の実施形態は、データ送信方法および装置ならびにコンピュータ記憶メディアを提供し、所定のＤＭＲＳポート順序付け規則に従って送信に使用されるＤＭＲＳポートにデータ層をマッピングし、送信を実行できるようにする。
【００７３】
ＤＭＲＳ基本パターン（ｆｒｏｎｔ−ｌｏａｄ ＤＭＲＳ）構成は、以下を含む：
構成（Ｃｏｎｆｉｇｕｒａｔｉｏｎ）１：
ＤＭＲＳシンボルの数は１である：組み合わせ（Ｃｏｍｂｉｎａｔｉｏｎ，ｃｏｍｂ）２＋循環シフト（ｃｙｃｌｉｃ ｓｈｉｆｔｓ，ＣＳ）２を使用することにより、最大４つのポートがサポートされる。
【００７４】
図１に示されるように、ｃｏｍｂ２は、周波数領域多重化を示す。たとえば、ポート０と２には、ｃｏｍｂ２の多重化関係がある。ＣＳ２は、ポート間のシーケンスが循環シフト(ｃｙｃｌｉｃ ｓｈｉｆｔｓ)によって多重化されることを示す。たとえば、ポート０と１にはＣＳ２の多重化関係がある。
【００７５】
ＤＭＲＳシンボルの数は２である：ｃｏｍｂ２+ＣＳ２+ＴＤ−ＯＣＣ({１，１}および{１，-１})を使用することにより、最大で８つのポートがサポートされる。ここで、ＴＤ−ＯＣＣ（{１、１}および{１、-１}）は、時間領域の直交カバーコード（ＴＤ−ＯＣＣ）多重化が２つのポート間で採用され、{１,１}と{１、−１}は、それぞれ２つのポートの多重化係数である。
【００７６】
図２に示されるように、ＴＤ−ＯＣＣは、時間領域直交カバーコード（Ｏｒｔｈｏｇｏｎａｌ Ｃｏｖｅｒ Ｃｏｄｅ，ＯＣＣ）多重化を示す。たとえば、時間領域ＯＣＣ多重化はポート０/１と４/５の間で採用される。ＣＳ２多重化はポート０とポート１の間で採用され、ＣＳ２多重化はポート４とポート５の間で採用され、タイム領域ＯＣＣ多重化はポート０/１とポート４/５の間で採用される。
【００７７】
構成２：
ＤＭＲＳシンボルの数は１である：２−ＦＤ−ＯＣＣ（隣接周波数領域リソース要素（Ｒｅｓｏｕｒｃｅ Ｅｌｅｍｅｎｔ，ＲＥ））を使用することにより、最大で６つのポートがサポートされる。
【００７８】
図３に示されるように、２−ＦＤ−ＯＣＣは、周波数領域ＯＣＣ多重化を示す。たとえば、周波数領域ＯＣＣ多重化はポート０と１の間で採用されている。さらに、周波数分割多重化（Ｆｒｅｑｕｅｎｃｙ−ｄｉｖｉｓｉｏｎ Ｍｕｌｔｉｐｌｅｘｉｎｇ, ＦＤＭ）は他のポートで採用されている。たとえば、ＦＤＭはポート０/１と２/３の間で使用される。
【００７９】
ＤＭＲＳシンボルの数は２である：２−ＦＤ−ＯＣＣ（隣接周波数領域ＲＥ）＋ＴＤ−ＯＣＣ（｛１，１｝および｛１、−１｝）を採用することにより、最大で１２個のポートがサポートされる。
【００８０】
図４に示されるように、ＴＤ−ＯＣＣは、時間領域ＯＣＣ多重化を示す。たとえば、時間領域ＯＣＣ多重化はポート０/１と６/７の間で採用される。
【００８１】
上記のＤＭＲＳの様々なパイロットパターンから、構成１において、最大にサポートされるポートの数が４を超えない場合、図１のパターンを構成に使用できることが分かる。そして、それが４を超えて８を超えない場合、図２のパターンを構成に使用できる。また、構成２では、最大にサポートされるポート数が６を超えない場合、図３のパターンを使用して構成できる。また、６を超え１２を超えない場合は、図４のパターンを使用して構成できる。ここで説明するポート数とは、各リソース位置で多重化されている全端末のポートの総数である。
【００８２】
さらに、図１〜４において、最初の２列は制御シンボルフィールド、つまりダウンリンク制御チャネルに必要なシンボル位置を表し、最後の２列はアップリンク制御チャネルに必要なシンボル位置、つまりデータチャネルのシンボルリソース物理ダウンリンク共有チャネル（Ｐｈｙｓｉｃａｌ Ｄｏｗｎｌｉｎｋ Ｓｈａｒｅｄ Ｃｈａｎｎｅｌ，ＰＤＳＣＨ）には使用できない。
【００８３】
ＮＲシステムでは、複数の送信ポート受信ポイント（Ｔｒａｎｓｐｏｒｔ Ｒｅｃｅｉｖｅ Ｐｏｉｎｔ,ＴＲＰ）／アンテナパネルまたはサブアレイ（ｐａｎｅｌ）が、協調送信のために考慮され得る。この場合、異なるＴＲＰ/ｐａｎｅｌによって送信される信号は、平均遅延、遅延拡散、平均ドップラーシフト、ドップラースプレッド、空域受信パラメータなど、比較的独立した大規模な機能を備えている場合がある。したがって、ＮＲでは、２つ以上の参照信号チャネルの大規模なパラメータが一致している場合、準コロケーション（Ｑｕａｓｉ−ｃｏｌｏｃａｔｉｏｎ，ＱＣＬ）と呼ばれます。それ以外の場合は、非ＱＣＬと呼ばれる。前記大規模なパラメータは、例えば、平均遅延、遅延拡散、ドップラーシフト、ドップラー拡散、空間受信パラメータ、平均受信電力などである。さらに、ＱＣＬは次のようにさらに説明される：端末は、受信した参照信号ポートが同じまたは異なる物理的位置にあるサイトまたはアンテナサブアレイからのものであるかどうかを判断できない。２つの基準信号ポートの平均遅延、遅延拡散、ドップラーシフト、ドップラー拡散、空間受信パラメータ、および平均受信電力遅延などのパラメータ（またはそのサブ集合）が同じであれば、２つの参照信号は、前述の大規模パラメータの意味で準コロケーションと見なすことができる。
【００８４】
ＤＭＲＳポートの場合、ＱＣＬグループの概念は、ＮＲシステム、すなわち、ＤＭＲＳポートのＱＣＬグループ（略してＱＣＬグループ）で定義される：ＱＣＬグループのＤＭＲＳポートは、ＱＣＬであり、異なるＱＣＬグループのＤＭＲＳポートは、ＱＣＬではない。ＮＲシステムでは、同じコード分割多重（Ｃｏｄｅ Ｄｉｖｉｓｉｏｎ Ｍｕｌｔｉｐｌｅｘｉｎｇ，ＣＤＭ）グループ内のＤＭＲＳポートにＱＣＬ関係があることが指定されている。つまり、ＣＤＭグループでは、各基準信号ポートは同じ時間周波数リソースを占有し、直交コードワードによって区別される。図４を例として使用すると、ＤＭＲＳ設計の特性により、１つのＤＭＲＳシンボルの場合、ポート０/１はＣＤＭ関係にあり、ポート２/３はＣＤＭ関係にあり、ポート０/１およびポート２/３はＦＤＭ関係にある。図１〜図４では、同じ方法で埋められる隣接ブロックがＣＤＭグループを構成する。各データチャネルは２つのＱＣＬグループをサポートできる。前記データチャネルは、例えば、物理ダウンリンク共有チャネル（Ｐｈｙｓｉｃａｌ Ｄｏｗｎｌｉｎｋ Ｓｈａｒｅｄ Ｃｈａｎｎｅｌ，ＰＤＳＣＨ）である。
【００８５】
本発明の実施形態で説明されるＤＭＲＳポートのＱＣＬグループは、略してＱＣＬグループと呼ばれることがあり、また、ＤＭＲＳグループと呼ばれることもある。
【００８６】
本発明の実施形態で説明されるＴＡ ＤＭＲＳポートは、略してポートと呼ばれることがあり、アンテナポートと呼ばれることもある。
【００８７】
本出願の実施形態において提供される特定の解決策は、以下を含む。
【００８８】
ステップＩ：ネットワーク側は、制御シグナリングを介して、ＤＭＲＳポートのＱＣＬグループ情報（ＤＭＲＳポートのＱＣＬグループ化を示すため）を示し、ここで、ＤＭＲＳポートのＱＣＬグループ情報の内容は、オプションで、以下のモード１-１、１-２または１-３で示される内容である。
【００８９】
ＤＭＲＳパターン内のＣＤＭグループは、ＣＤＭグループ１、ＣＤＭグループ２、…、ＣＤＭグループＮによって示される。例えば、現在のＤＭＲＳパターン（図１から４を参照）によれば、ＤＭＲＳ構成タイプ１で最大２つのＣＤＭグループ、ＤＭＲＳ構成タイプ２で最大３つのＣＤＭグループがある。
【００９０】
モード１−１（例えば、通知は、ＤＣＩまたはＭＡＣ ＣＥによって行うことができる）：
ＤＭＲＳパターン内の各ＣＤＭグループとのＱＣＬ関係を有する基準信号（すなわち、ＣＤＭグループｎ内の各ＤＭＲＳポートのＱＣＬ基準ソース）に対応する識別子は、制御シグナリングを介してそれぞれ通知される。例えば、ＣＤＭグループｎとのＱＣＬ関係を有する基準信号はＲｅｆ＿ｎであり、対応する識別子はＩＤ＿ｎである。すなわち、通知される必要があるのは当該ＩＤ_ｎだけであり、端末は、ＩＤ_ｎに従って、ＣＤＭグループｎとのＱＣＬ関係を持つ基準信号がRef_ｎであると判断し、ＱＣＬ基準ソースに従ってＱＣＬグループ化を実行できる。つまり、同じ識別子ＩＤ_ｎを持つＣＤＭグループに含まれるＤＭＲＳポートは同じＱＣＬグループを形成し、異なるＱＣＬグループのＤＭＲＳポートに対応する識別子ＩＤ_ｎは異なり、同じＱＣＬグループのＤＭＲＳポートに対応する識別子ＩＤ_ｎは同じである。
【００９１】
同じ基準ソース基準信号識別子を有するＣＤＭグループの場合、そこに含まれるＤＭＲＳポートによって形成される集合は、ＤＭＲＳポートの１つのＱＣＬグループと見なすことができる。ここで「１つ」とは、１つのグループを意味するが、１つのＤＭＲＳポートではなく、１つのＱＣＬグループ、または略してＤＭＲＳグループを意味する。
【００９２】
モード１−２：ＱＣＬグループｉに含まれるＣＤＭグループは、制御シグナリングを介して直接示される。例えば、ＤＭＲＳ構成タイプ２の場合、制御シグナリングは、ＱＣＬグループ１がＣＤＭグループ１および２、ならびにグループ２がＣＤＭグループ３を含むことを示すことができる。
【００９３】
モード１−３：ＱＣＬグループｉに含まれるＤＭＲＳポートのリストは、制御シグナリングを通じて直接示される。たとえば、ＤＭＲＳ構成タイプ２の場合、データ層の数が８の場合、制御シグナリングは、ＱＣＬグループ１にＤＭＲＳポート０、１、６、７が含まれ、ＱＣＬグループ２にＤＭＲＳポート２、３、８、９が含まれることを示すことができる。
【００９４】
上記のプロセスにおいて、ＤＭＲＳポートのＱＣＬグループ化を示すための制御情報（すなわち、ＤＭＲＳポートのＱＣＬグループ情報）は、無線リソース制御（Ｒａｄｉｏ Ｒｅｓｏｕｒｃｅ Ｃｏｎｔｒｏｌ，ＲＲＣ）、構成、または、メディアアクセス制御（Ｍｅｄｉａ Ａｃｃｅｓｓ Ｃｏｎｔｒｏｌ， ＭＡＣ）制御ユニット（Ｃｏｎｔｒｏｌ Ｅｌｅｍｅｎｔ，ＣＥ）、または、ダウンリンク制御情報（Ｄｏｗｎｌｉｎｋ Ｃｏｎｔｒｏｌ Ｉｎｆｏｒｍａｔｉｏｎ，ＤＣＩ）を通じて、ブロードキャスト、マルチキャストまたは端末固有の方式で端末に通知され得る。
【００９５】
さらに、本発明では、上記のステップＩは、実行する必要があるステップではなく、オプションのステップであることに留意されたい。つまり、次のステップは独立して存在できる。ステップ１が存在する場合、端末は、ネットワーク側から通知されたＤＭＲＳポートのＱＣＬグループ情報に従って、ＤＭＲＳポートの事前設定された順序付け規則（特定の規則は、実際のニーズに応じて決定できる。いくつかの規則の例示的な説明は、以下の実施形態で提供されるが、本発明は規則に限定されない）と併せて、端末が占有するＤＭＲＳポートの順序付け方法をさらに決定できる。
【００９６】
ステップ２：多入力多出力（ＭＩＭＯ）並列送信データ層（ｌａｙｅｒ）の数（すなわち、ランク（ｒａｎｋ）の数）ｖに基づいて、各送信データ層（各データ層はデータストリームである）をシリアル番号に従って以下の送信信号ベクトルのように配列する。
【００９７】
【数２１】
2021505022.tif 000023
【００９８】
すなわち、Ｘは、ｖ個の要素を有する列ベクトルであり、上付き文字０…ｖ-１は、要素のシリアル番号、すなわち、各データ層のシリアル番号であり、
【数２２】
2021505022.tif 000024
は各データ層で送信の必要がある
【数２３】
2021505022.tif 000025
個の変調シンボルのｉ番目を表す。
【００９９】
ｖ個のＤＭＲＳポートにより形成される信号ベクトルをＹとし、ここで、集合{Ｐ０,…，Ｐｖ-１}に含まれるポートは、ＤＣＩによって示され、順序付け方法は、ステップ３によって決定される。
【０１００】
【数２４】
2021505022.tif 000026
【０１０１】
Ｙは、ｖ個の要素を有する列ベクトルであり、上付き文字Ｐ０,…，Ｐｖ-１は、ｙ内の要素の数字であり、上付き文字Ｐ０,…，Ｐｖ-１はｖ個のＤＭＲＳポートのシリアル番号であり、
【数２５】
2021505022.tif 000027
は、各データ層データ層で送信の必要がある
【数２６】
2021505022.tif 000028
個の変調シンボルのｉ番目を表す。
【０１０２】
ステップ３：所定のＤＭＲＳポート順序付け規則に従って送信に使用されるＤＭＲＳポートにデータ層をマッピングし、送信を実行する。オプションのモードは、次のモード３-１、３-２、３-３、３-４、３-５に示されている。
【０１０３】
モード３−１：
ケースＩ：ＱＣＬグループまたはＣＤＭグループが１つしかない場合：
ＤＣＩにおいて端末に割り当てられたｖ個のＤＭＲＳポートのシリアル番号は、Ｐ０<Ｐ１<,…，Ｐｖ-１となるように順序付けられ、これは、所定のＤＭＲＳポート順序付け規則である。
【０１０４】
ｖ個のデータ層（データのデータ層とも呼ばれ、各データ層データは各データ層であり、各データ層内のデータは各データ層を意味し、同時並列送信のためのデータのデータ層の数ｖは、同時並行送信用のデータのデータ層の数ｖである）は、以下の式でｖ個のＤＭＲＳポートにマッピングされる。
【０１０５】
【数２７】
2021505022.tif 000029
【０１０６】
上記の式は、ベクター内の対応する要素が等しいことを示している。つまり、データ層y(p0)(i)は送信に使用されるＤＭＲＳポートx(0)(i)にマップされ、同様にデータ層y(pv-1)(i)は、送信に使用されるＤＭＲＳポートx(v-1)(i)にマップされる。以下のマッピングでも同じ数式が使用されているが、ここでは説明しない。
【０１０７】
例えば、ＤＭＲＳ構成タイプ２の場合、データ層の数がｖ＝８であり、ＤＣＩ内のＤＭＲＳポート０、１、６、７およびポート２、３、８、９は、端末に割り当てられる。その後、データ層０、１、２、３、４、５、６、７、８は、送信に使用されるＤＭＲＳポート０、１、２、３、６、７、８、９にマッピングされる。
【０１０８】
ケースＩＩ：複数のＱＣＬグループまたはＣＤＭグループがある場合：
順序付けは、ポートグループ内で実行され、すなわち、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得る。具体的には以下を含む：ステップ１で構成/指示されたＤＭＲＳポートのＱＣＬグループ情報に従ってＤＭＲＳポートが属するそれぞれのＱＣＬグループで、DC１に示されたＤＭＲＳポートを順序付け、各ＱＣＬグループのＤＭＲＳポートシリアル番号は昇順で並べられる（小さいものから大きいものへ）。
【０１０９】
順序付けは、ポートグループ間で実行され、すなわち、サブ集合内での、各ＤＭＲＳポートサブ集合に対応するＤＭＲＳポートシリアル番号の順序付け結果に基づいて、ＤＭＲＳポートサブ集合間の順序付けを実行し、具体的には以下を含む。上記のようにグループ化および順序付けすることにより得られた各ポートサブ集合において、各サブ集合における最小のＤＭＲＳポートシリアル番号にしたがって、各ポートサブ集合を昇順（小さいものから大きいものへ）で順序付けし、つまり、サブ集合の中で、最小のＤＭＲＳポートシリアル番号が小さいサブ集合が順序の前にある（もちろん、サブ集合間のＤＭＲＳポートシリアル番号の順序付けは、他の原則に従って実行することもできる。たとえば、サブ集合のうち、最大のＤＭＲＳポートシリアル番号が大きいサブ集合がこの順序で優先される）。ここで、各ポートサブ集合（略してサブ集合）は、１つのＱＣＬグループのＤＭＲＳポートである。
【０１１０】
本発明の実施形態による前記各ＤＭＲＳポートサブ集合は、各ＣＤＭグループまたはＱＣＬグループに含まれるＤＭＲＳポートにより形成される集合である。
【０１１１】
上記のポートグループ内の順序付けおよびポートグループ間の順序付けの組み合わせは、別の所定のＤＭＲＳポート順序付け規則と見なすことができる。同じことが以下のモードにも適用され、後で繰り返されることはない。
【０１１２】
ｖ個のＤＭＲＳポートは、上記の順序付け結果に従ってベクトルに配置される：
【０１１３】
【数２８】
2021505022.tif 000030
【０１１４】
ｖ個のデータ層は、以下の式に従ってｖ個のＤＭＲＳポートにマッピングされる：
【０１１５】
【数２９】
2021505022.tif 000031
【０１１６】
例えば、ＤＭＲＳ構成タイプ２の場合、データ層の数がｖ＝８であり、ＤＣＩ内のＤＭＲＳポート０、１、６、７およびポート２、３、８、９は、端末に割り当てられる。次にステップ１から、端末は端末のＤＭＲＳポートがサブ集合１（ポート{０、１、６、７}を含む（昇順で配列）とサブ集合２（ポート{２、３、８、９を含む（昇順で配列））に対応する２つのＱＣＬグループに分割されていることを知る。ポートサブ集合１の最小ＤＭＲＳポートシリアル番号は０であり、サブ集合２の最小ＤＭＲＳポートシリアル番号２よりも小さいため、ポートサブ集合はさらに順序付けられる。つまり、サブ集合１はサブ集合２の前に配置され、ポートは０、１、６、７、２、３、８、９の順になる。その結果、Ｐ０、Ｐ１、Ｐ２、Ｐ３はそれぞれ０、１、６、７に等しくなり、Ｐ４、Ｐ５、Ｐ６、Ｐ7はそれぞれ２、３、８、９に等しくなる。最後に、ｖ個のデータ層は、次の式に従ってｖ個のＤＭＲＳポートにマップされる。
【０１１７】
【数３０】
2021505022.tif 000032
【０１１８】
すなわち、データ層０、１、２、３、４、５、６、７、８は、それぞれ送信で使用されるＤＭＲＳポート０、１、６、７、２、３、８、９にマッピングされる。
【０１１９】
モード３−２：
ポートグループ内の順序付け：ＤＭＲＳパターンにおけるＤＭＲＳポートのＣＤＭグループ関係に従って、ＤＣＩに示されるＤＭＲＳポートは、ポートが属するそれぞれのＣＤＭグループ内で順序付けられ、ここで、各ＣＤＭグループのＤＭＲＳポートシリアル番号は、昇順（小さいものから大きいものへ）で並べられる。
【０１２０】
ポートグループ間の順序付け：上記のようにグループ化および順序付けによって得られたポートサブ集合では、ポートサブ集合は、各サブ集合内の最小のＤＭＲＳポートシリアル番号に基づいて昇順で（小さいものから大きいものへ）さらに並べられる。つまり、最小のＤＭＲＳポートシリアル番号が小さいサブ集合が順番に優先され、各サブ集合は１つのＣＤＭグループ内のＤＭＲＳポートである。
【０１２１】
ｖ個のＤＭＲＳポートは、上記の順序付けに従ってベクトルに配置される：
【０１２２】
【数３１】
2021505022.tif 000033
【０１２３】
ｖ個のデータ層は、以下の式に従ってｖ個のＤＭＲＳポートにマッピングされる：
【０１２４】
【数３２】
2021505022.tif 000034
【０１２５】
例えば、ＤＭＲＳ構成タイプ２の場合、データ層の数がｖ＝８であり、そしてＤＣＩのＤＭＲＳポート０、１、６、７およびポート２、３、８、９は、端末に割り当てられる。次に、端末はＤＭＲＳパターンから、端末のＤＭＲＳポートがＣＤＭグループ１（ポート{０、１、６、７}を含む（昇順配列）とＣＤＭグループ２（ポート{２、３、８、９}を含む（昇順配列）に対応する２つのＣＤＭグループに分割されていることを知る。ポートサブ集合１（つまり、ポート{０、１、６、７}）の最小のＤＭＲＳポートシリアル番号は０であり、サブ集合２（つまり、ポート{２、３、８、９}）の最小のＤＭＲＳポートシリアル番号２より小さいため、、ポートのサブ集合がさらに順序付けられる。サブ集合１はサブ集合２の前に配置され、ポートは０、１、６、７、２、３、８、９の順序である。その結果、Ｐ０、Ｐ１、Ｐ２、Ｐ３はそれぞれ０、１、６、７に等しくなり、Ｐ４、Ｐ５、Ｐ６、Ｐ7はそれぞれ２、３、８、９に等しくなる。最後に、ｖ個のデータ層は、次の式に従ってｖ個のＤＭＲＳポートにマップされる。
【０１２６】
【数３３】
2021505022.tif 000035
【０１２７】
すなわち、データ層０、１、２、３、４、５、６、７、８は、それぞれ送信で使用されるＤＭＲＳポート０、１、６、７、２、３、８、９にマッピングされる。
【０１２８】
モード３−３：
ポートグループ内の順序付け：ＤＭＲＳパターン内のＤＭＲＳポートのＣＤＭグループ関係に従って、ＤＣＩに示されるＤＭＲＳポートは、ポートが属するそれぞれのＣＤＭグループ内で順序付けされ、ここで、各グループのＤＭＲＳポートは昇順（小さいものから大きいものへ）に配置される。
【０１２９】
ポートグループ間の順序付け：前述のサブ集合は、それらが属するＣＤＭグループのシリアル番号に基づいて昇順で配置される。
【０１３０】
ｖ個のＤＭＲＳポートは、上述の順序付けに従ってベクトルに配置される：
【０１３１】
【数３４】
2021505022.tif 000036
【０１３２】
ｖ個のデータ層は、以下の式に従ってｖ個のＤＭＲＳポートにマッピングされる：
【０１３３】
【数３５】
2021505022.tif 000037
【０１３４】
たとえば、ＤＭＲＳ構成タイプ２の場合、データ層の数がｖ＝８であり、ＤＣＲＳのＤＭＲＳポート０、１、６、７およびポート２、３、８、９は、端末に割り当てられる。次に、端末はＤＭＲＳパターンから、端末のＤＭＲＳポートがＣＤＭグループ１（ポート{０、１、６、７}を含む（昇順配列）とＣＤＭグループ２（ポート{２、３、８、９}を含む（昇順配列）に対応する２つのＣＤＭグループに分割されていることを知る。次に、各サブ集合が属するＣＤＭグループのシリアル番号に従って（もちろん、上記のモード３-１のケース１１の場合、サブ集合は、各サブ集合が属するＱＣＬグループのシリアル番号に従って順序付けられる。）、ポートのサブ集合はさらに順序付けされており（つまり{ＣＤＭグループ１、ＣＤＭグループ２}）、サブ集合１（つまりポート{０、１、６、７}）はサブ集合２（つまりポート{２、３、８、９}）の前に配置され、ポートは０、１、６、７、２、３、８、９の順である。その結果、Ｐ０、Ｐ１、Ｐ２、Ｐ３はそれぞれ０、１、６、７に等しくなり、Ｐ４、Ｐ５、Ｐ６、Ｐ7はそれぞれ２、３、８、９に等しくなる。最後に、ｖ個のデータ層は、次の式に従ってｖ個のＤＭＲＳポートにマップされる。
【０１３５】
【数３６】
2021505022.tif 000038
【０１３６】
すなわち、データ層０、１、２、３、４、５、６、７、８は、それぞれ送信で使用されるＤＭＲＳポート０、１、６、７、２、３、８、９にマッピングされる。
【０１３７】
モード３−４（上記のモード３−１と比較）：
ケースＩ：ＱＣＬグループまたはＣＤＭグループが１つしかない場合：
ＤＣＩにおいて端末に割り当てられたｖ個のＤＭＲＳポートは、Ｐ０<Ｐ１<,…，Ｐｖ-１を保証するように順序付けられる。
【０１３８】
ｖ個のデータ層は、以下の式に従ってｖ個のＤＭＲＳポートにマッピングされる：
【０１３９】
【数３７】
2021505022.tif 000039
【０１４０】
例えば、ＤＭＲＳ構成タイプ２の場合、データ層の数がｖ＝８であり、ＤＣＩ内のＤＭＲＳポート０、１、６、７およびポート２、３、８、９は、端末に割り当てられる。その後、データ層０、１、２、３、４、５、６、７、８は、送信に使用されるＤＭＲＳポート０、１、２、３、６、７、８、９にマッピングされる。
【０１４１】
ケースＩＩ：複数のＱＣＬグループがある場合：
ポートグループ内での順序付け：ステップＩで構成／示されるＤＭＲＳポートのＱＣＬグループ関係に従って、ＤＣＩで示されるＤＭＲＳポートは、ＤＭＲＳポートが属するそれぞれのＱＣＬグループで順序付けされ、シリアル各ＱＣＬグループのＤＭＲＳポートの数は、昇順（小さいものから大きいものへ）に配置される。
【０１４２】
ポートグループ間の順序付け：上記のようなグループ化および順序付けによって得られたポートサブ集合では、ポートサブ集合は、各サブ集合に含まれるＤＭＲＳポートの数に基づいて昇順（小さいものから大きいものへ）でさらに順序付けられる。つまり、ＤＭＲＳポートの数が少ないサブ集合が順序の前にある（もちろん、ＤＭＲＳポートの数が多いサブ集合も順序の前にある場合がある）。ここで、１つのサブ集合は、ＱＣＬグループ内のＤＭＲＳポートにより形成される集合である。
【０１４３】
ｖ個のＤＭＲＳポートは、上述の順序に従ってベクトルに配置される：
【０１４４】
【数３８】
2021505022.tif 000040
【０１４５】
ｖ個のデータ層は、以下の式に従ってｖ個のＤＭＲＳポートにマッピングされる：
【０１４６】
【数３９】
2021505022.tif 000041
【０１４７】
例えば、ＤＭＲＳ構成タイプ２の場合、データ層の数がｖ＝７である場合、例えば、それぞれデータ層０、１、２、３、４、５、６、７、およびＤＭＲＳポート０、１、６、７、DC１のポート２、３、８が端末に割り当てられ、端末はステップ１から、ＤＭＲＳポートがサブ集合１（ポート{０、１、６、７}を含む（昇順配列））および集合２（ポート{２、３、８}を含む（昇順配列）それぞれに対応する２つのＱＣＬグループに分割されていることを知る。ポートサブ集合１には４つのＤＭＲＳポートが含まれているため、サブ集合２のＤＭＲＳポートの数（３）よりも多いため、ポートサブ集合は{サブ集合２、サブ集合１}を取得するようにさらに順序付けられる。つまり、Ｐ０、Ｐ１、Ｐ２はそれぞれ２、３、８に等しく、Ｐ３、Ｐ４、Ｐ５、Ｐ６、Ｐ7はそれぞれ０、１、６、７に等しくなる。最後に、ｖ個のデータ層は、次の式に従ってｖ個のＤＭＲＳポートにマップされる。
【０１４８】
【数４０】
2021505022.tif 000042
【０１４９】
すなわち、データ層０、１、２、３、４、５、６、７は、送信中に使用されるＤＭＲＳポート２、３、８、０、１、６、７にそれぞれマッピングされる。
【０１５０】
モード３−５（モード３−３と比較）：
ポートグループ内の順序付け：ＤＭＲＳパターン内のＤＭＲＳポートのＣＤＭグループ関係に従って、ＤＣＩに示されるＤＭＲＳポートは、ポートが属するそれぞれのＣＤＭグループ内で順序付けられ、ここで、各グループのＤＭＲＳポートは昇順（小さいものから大きいものへ）に配置される。
【０１５１】
ポートグループ間の順序付け：前述のサブ集合は、そこに含まれるＤＭＲＳポートの数が少ないものから大きいものへの順に配置される。つまり、より少ない数のＤＭＲＳポートを含むサブ集合が順序の前にある（もちろん、より多くの数のＤＭＲＳポートを含むサブ集合も順序の前にある）。
【０１５２】
ｖ個のＤＭＲＳポートは、上記の順序付けに従ってベクトルに配置される：
【０１５３】
【数４１】
2021505022.tif 000043
【０１５４】
ｖ個のデータ層は、以下の式に従ってｖ個のＤＭＲＳポートにマッピングされる：
【０１５５】
【数４２】
2021505022.tif 000044
【０１５６】
たとえば、ＤＭＲＳ構成タイプ２の場合、データ層の数がｖ＝７である場合、たとえば、それぞれ、データ層０、１、２、３、４、５、６、７、およびＤＭＲＳポート０、１、６、７およびDC１のポート２、３、８が端末に割り当てられ、ＤＭＲＳパターンから、端末はそのＤＭＲＳポートがＣＤＭグループ１（ポート{０、１、６、７}を含む（昇順配列））およびＣＤＭグループ２（ポート{２、３、８}を含む（昇順配列））に対応する２つのＣＤＭグループに分割されていることを知る。次に、各サブ集合に含まれるポートの数に応じて、ポートのサブ集合がさらに順序付けられる（つまり、{ＣＤＭグループ１、ＣＤＭグループ２}）。その結果、Ｐ０、Ｐ１、Ｐ２はそれぞれ２、３、８に等しく、Ｐ３、Ｐ４、Ｐ５、Ｐ６、Ｐ7はそれぞれ０、１、６、７に等しくなる。最後に、ｖ個のデータ層は、次の式に従ってｖ個のＤＭＲＳポートにマップされる。
【０１５７】
【数４３】
2021505022.tif 000045
【０１５８】
すなわち、データ層０、１、２、３、４、５、６、７は、送信中に使用されるＤＭＲＳポート２、３、８、０、１、６、７にそれぞれマッピングされる。
【０１５９】
前述の実施形態の任意の場所で言及された小さいから大きいへの順序付けは、同様に大きいから小さいへの順序付け（降順）に置き換えることができ、順序付けの特定の方法は、本発明の実施形態に限定されないことに留意されたい。さらに、本発明の実施形態は、ｖ個のＤＭＲＳポートから構成されるベクトルを決定するための前述のいくつかの方法に限定されず、ｖ個のＤＭＲＳポートとｖ個のデータ層との間のマッピングの特定の方法も定義しない。本発明の実施形態に基づいて当業者に絶対的に考えられる他の代替は、本発明の保護の範囲内である。
【０１６０】
さらに、本発明の実施形態で説明されている所定のＤＭＲＳポート順序付け規則は、ネットワーク側および端末側で事前設定することができる。つまり、両側に同じＤＭＲＳポート順序付け規則が設定されている。また、ネットワーク側と端末側で同じ式を設定して、データ層を同じ方法で送信に使用されるＤＭＲＳポートにマッピングすることができる。
【０１６１】
さらに、前述のステップ２および３は、１つのステップに組み合わせることができる。
【０１６２】
要約すると、図５を参照すると、ネットワーク側で、本発明の実施形態で提供されるデータ送信方法は、以下を含む。
【０１６３】
Ｓ１０１：所定の復調基準信号（ＤＭＲＳ）ポート順序付け規則を決定する。
【０１６４】
Ｓ１０２：前記所定のＤＭＲＳポート順序付け規則に従って送信に使用されるＤＭＲＳポートにデータ層をマッピングし、データ層を端末に送信する。
【０１６５】
当該データ送信方法を採用することによって、所定の復調基準信号（ＤＭＲＳ）ポート順序付け規則を決定し、かつ、前記所定のＤＭＲＳポート順序付け規則に従って送信に使用されるＤＭＲＳポートにデータ層をマッピングし、データ層を端末に送信する。こうして、所定のＤＭＲＳポート順序付け規則に従って送信に使用されるＤＭＲＳポートにデータ層をマッピングし、送信を実行できるようにする。
【０１６６】
任意選択で、所定のＤＭＲＳポート順序付け規則に従って送信に使用されるＤＭＲＳポートにデータ層をマッピングし、データ層を端末に送信することは、具体的には以下を含む。
【０１６７】
多入力多出力（ＭＩＭＯ）の並列送信データ層の数ｖに基づいて、各データ層をシリアル番号に従って以下の送信信号ベクトルを構成する：
【０１６８】
【数４４】
2021505022.tif 000046
【０１６９】
ｖ個のＤＭＲＳポートにより形成される以下の信号ベクトルを決定する：
【０１７０】
【数４５】
2021505022.tif 000047
【０１７１】
以下の式に従ってｖ個のデータ層をｖ個のＤＭＲＳポートにマッピングし、データ層を送信する：
【０１７２】
【数４６】
2021505022.tif 000048
【０１７３】
ここで、
【数４７】
2021505022.tif 000049
であり、ｉは、各データ層で送信の必要がある
【数４８】
2021505022.tif 000050
個の変調シンボルのうちのｉ番目の変調シンボルを表し、Ｐ０,…，Ｐｖ-１は、ｖ個のＤＭＲＳポートのシリアル番号を表す。
【０１７４】
任意選択で、当該方法ではさらに、
ＤＭＲＳポートの準コロケーションＱＣＬグループ情報を決定し、
前記ＱＣＬグループ情報を端末に通知する。
【０１７５】
任意選択で、ＱＣＬグループまたはＣＤＭグループが１つしかない場合、前記Ｐ０<Ｐ１<,…，Ｐｖ-１である。例は、モード３-１のケース１とモード３-４のケース１である。
【０１７６】
任意選択で、複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定する。例は、モード３-１のケース１１、モード３-４、モード３-２、モード３-３、およびモード３-５のケース１１である。
【０１７７】
任意選択で、前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合である。
【０１７８】
任意選択で、以下のいずれかの方式で前記ＤＭＲＳポートサブ集合間の順序付けを実行する：
上記のモード３−１およびモード３−２におけるように、各ＤＭＲＳポートサブ集合における最小のＤＭＲＳポートシリアル番号に基づいて、前記ＤＭＲＳポートサブ集合間の順序付けを実行し、または、
上記のモード３-３におけるように、各ＤＭＲＳポートサブ集合に対応するＣＤＭグループまたはＱＣＬグループのシリアル番号に基づいて、前記ＤＭＲＳポートサブ集合間の順序付けを実行し、または、
上記のモード３-５におけるように、各ＤＭＲＳポートサブ集合に含まれるＤＭＲＳポートの数に基づいて、前記ＤＭＲＳポートサブ集合間の順序付けを実行する。
【０１７９】
任意選択で、ＱＣＬグループ情報は、具体的には、以下の情報のうちの１つ（すなわち、前述のモード１−１、１−２、または１−３で説明された内容）を含む。
【０１８０】
◎ＤＭＲＳパターンでは、各コード分割多重ＣＤＭグループとＱＣＬ関係を持つ基準信号に対応する識別子
◎ＱＣＬグループに含まれるＣＤＭグループ
◎ＱＣＬグループに含まれるＤＭＲＳポートリスト。
【０１８１】
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じである。
【０１８２】
任意選択で、無線リソース制御（ＲＲＣ）構成、または、メディアアクセス制御（ＭＡＣ）制御ユニット（ＣＥ）、または、ダウンリンク制御情報（ＤＣＩ）、ブロードキャスト、マルチキャストまたは端末固有の方式で、前記ＤＭＲＳポートのＱＣＬグループ情報を前記端末に通知する。
【０１８３】
対応して、図６を参照すると、端末側では、本発明の実施形態で提供されるデータ受信方法は、以下を含む。
【０１８４】
Ｓ２０１：所定のＤＭＲＳポート順序付け規則を決定する。
【０１８５】
Ｓ２０２：前記所定のＤＭＲＳポート順序付け規則に従って復調基準信号（ＤＭＲＳ）ポートにマッピングされてから送信されたデータ層を受信する。
【０１８６】
任意選択で、前記所定のＤＭＲＳポート順序付け規則に従って復調基準信号（ＤＭＲＳ）ポートにマッピングされてから送信されたデータ層を受信することは、具体的に、
多入力多出力（ＭＩＭＯ）の並列送信データ層の数ｖに基づいて、各データ層をシリアル番号に従って以下の送信信号ベクトルを構成する：
【０１８７】
【数４９】
2021505022.tif 000051
【０１８８】
ｖ個のＤＭＲＳポートにより形成される以下の信号ベクトルを決定する：
【０１８９】
【数５０】
2021505022.tif 000052
【０１９０】
以下の式に従って送信に使用されるＤＭＲＳポートにマッピングされてから送信されたデータ層を受信する：
【０１９１】
【数５１】
2021505022.tif 000053
【０１９２】
ここで、
【数５２】
2021505022.tif 000054
であり、ｉは、各データ層で送信の必要がある
【数５３】
2021505022.tif 000055
個の変調シンボルのうちのｉ番目の変調シンボルを表し、Ｐ０,…，Ｐｖ-１は、ｖ個のＤＭＲＳポートのシリアル番号を表す。
【０１９３】
任意選択で、当該方法ではさらに、ネットワーク側によって通知されたＤＭＲＳポートの準コロケーションＱＣＬグループ情報を受信する。
【０１９４】
端末は、ＤＭＲＳポートの所定の順序付け規則と併せて、ＤＭＲＳポートのＱＣＬグループ情報に従って、端末によって占有されているＤＭＲＳポートの順序付けモードをさらに決定することができる。具体的には、例えば、上記の各モードには、ポートグループ内での順序付け内やポートグループ間の順序付け内容が含まれる。
【０１９５】
任意選択で、ＱＣＬグループまたはＣＤＭグループが１つしかない場合、前記Ｐ０<Ｐ１<,…，Ｐｖ-１である。
【０１９６】
任意選択で、複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定する。
【０１９７】
任意選択で、前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合である。
【０１９８】
任意選択で、以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行する。
【０１９９】
任意選択で、前記ＱＣＬグループ情報は、
ＤＭＲＳパターンでは、各コード分割多重ＣＤＭグループとＱＣＬ関係を持つ基準信号に対応する識別子とＱＣＬグループに含まれるＣＤＭグループと、ＱＣＬグループに含まれるＤＭＲＳポートリストとのうちの１つを含む。
【０２００】
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じである。
【０２０１】
任意選択で、ブロードキャスト、マルチキャストまたは端末固有の方式で前記通知を受信し、前記通知内の無線リソース制御（ＲＲＣ）構成、または、メディアアクセス制御（ＭＡＣ）制御ユニット（ＣＥ）、または、ダウンリンク制御情報（ＤＣＩ）から前記ＤＭＲＳポートのＱＣＬグループ情報を取得する。
【０２０２】
ネットワーク側では、図７を参照すると、本発明の実施形態において提供されるデータ送信装置は、メモリ５２０およびプロセッサ５００を含み、メモリ５２０は、プログラム命令を格納するように構成され、プロセッサ５００は、は、メモリ５２０に格納されたプログラム命令を呼び出し、取得されたプログラムに従って以下の動作を実行するように構成される：
所定の復調基準信号（ＤＭＲＳ）ポート順序付け規則を決定し、
前記所定のＤＭＲＳポート順序付け規則に従って送信に使用されるＤＭＲＳポートにデータ層をマッピングし、送受信機５１０により端末に送信する。
【０２０３】
なお、図７におけるバスインターフェース、送受信機５１０等は、本発明の実施形態で提供されるデータ送信装置において、オプションのデバイスとして全て存在することができ、必須ではない。
【０２０４】
任意選択で、前記プロセッサ５００所定のＤＭＲＳポート順序付け規則に従って送信に使用されるＤＭＲＳポートにデータ層をマッピングし、データ層を端末に送信することは、具体的には以下を含む。
【０２０５】
多入力多出力（ＭＩＭＯ）の並列送信データ層の数ｖに基づいて、各データ層をシリアル番号に従って以下の送信信号ベクトルを構成する：
【０２０６】
【数５４】
2021505022.tif 000056
【０２０７】
ｖ個のＤＭＲＳポートにより形成される以下の信号ベクトルを決定する：
【０２０８】
【数５５】
2021505022.tif 000057
【０２０９】
以下の式に従ってｖ個のデータ層をｖ個のＤＭＲＳポートにマッピングし、前記データ層を端末に送信する：
【０２１０】
【数５６】
2021505022.tif 000058
【０２１１】
ここで、
【数５７】
2021505022.tif 000059
であり、ｉは、各データ層で送信の必要がある
【数５８】
2021505022.tif 000060
個の変調シンボルのうちのｉ番目の変調シンボルを表し、Ｐ０,…，Ｐｖ-１は、ｖ個のＤＭＲＳポートのシリアル番号を表す。
【０２１２】
任意選択で、前記プロセッサ５００はさらに、ＤＭＲＳポートの準コロケーションＱＣＬグループ情報を決定し、
前記ＱＣＬグループ情報を端末に通知する。
【０２１３】
任意選択で、ＱＣＬグループまたはＣＤＭグループが１つしかない場合、前記Ｐ０<Ｐ１<,…，Ｐｖ-１である。
【０２１４】
任意選択で、複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定する。
【０２１５】
任意選択で、前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合である。
【０２１６】
任意選択で、以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行する。
【０２１７】
任意選択で、前記ＱＣＬグループ情報は、ＱＣＬ関係を持つ基準信号に対応する識別子とＱＣＬグループに含まれるＣＤＭグループと、ＱＣＬグループに含まれるＤＭＲＳポートリストとのうちの１つを含む。
【０２１８】
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じである。
【０２１９】
任意選択で、前記プロセッサ５００無線リソース制御（ＲＲＣ）構成、または、メディアアクセス制御（ＭＡＣ）制御ユニット（ＣＥ）、または、ダウンリンク制御情報（ＤＣＩ）、ブロードキャスト、マルチキャストまたは端末固有の方式で、前記ＤＭＲＳポートのＱＣＬグループ情報を前記端末に通知する。
【０２２０】
送受信機５１０は、プロセッサ５００の制御下でデータを送受信するように構成される。
【０２２１】
ここで、図7おいて、バスアーキテクチャは、任意の数の相互接続されたバスおよびブリッジを含むことができ、特に、プロセッサ５００によって表される１つまたは複数のプロセッサ及びメモリ５２０によって表されるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、送信機および送受信機を含む複数の要素とすることができ、伝送媒体を介して様々な他の装置と通信するためのユニットを提供する。プロセッサ５００は、バスアーキテクチャ及び通常の処理を管理し、メモリ５２０は、プロセッサ５００が動作を実行するときにプロセッサ５００によって使用されるデータを格納することができる。
【０２２２】
プロセッサ５００は、中央処理装置（Ｃｅｎｔｒａｌ Ｐｒｏｃｅｓｓｉｎｇ Ｕｎｉｔ,ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）、または複雑なプログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）であり得る。
【０２２３】
図８を参照すると、端末側では、本発明の実施形態で提供されるデータ受信装置は、メモリ６２０およびプロセッサ６００を含み、メモリ６２０は、プログラム命令を格納するように構成され、プロセッサ６００は、メモリ６２０に格納されたプログラム命令を呼び出し、取得されたプログラムに従って以下のステップを実行するように構成される：
所定のＤＭＲＳポート順序付け規則を決定し、
前記所定のＤＭＲＳポート順序付け規則に従って送受信機６１０により復調基準信号（ＤＭＲＳ）ポートにマッピングされてから送信されたデータ層を受信する。
【０２２４】
なお、図８のメモリ６２０およびプロセッサ６００以外のデバイスは、本発明の実施形態で提供されるデータ受信装置に存在するオプションのデバイスであり、必須のデバイスではない。
【０２２５】
任意選択で、前記所定のＤＭＲＳポート順序付け規則に従って復調基準信号（ＤＭＲＳ）ポートにマッピングされてから送信されたデータ層を受信することは、具体的に、
多入力多出力（ＭＩＭＯ）の並列送信データ層の数ｖに基づいて、各データ層をシリアル番号に従って以下の送信信号ベクトルを構成する：
【０２２６】
【数５９】
2021505022.tif 000061
【０２２７】
ｖ個のＤＭＲＳポートにより形成される以下の信号ベクトルを決定する：
【０２２８】
【数６０】
2021505022.tif 000062
【０２２９】
以下の式に従って送信に使用されるＤＭＲＳポートにマッピングされてから送信されたデータ層を受信する：
【０２３０】
【数６１】
2021505022.tif 000063
【０２３１】
ここで、
【数６２】
2021505022.tif 000064
ｉは、各データ層で送信の必要がある
【数６３】
2021505022.tif 000065
個の変調シンボルのうちのｉ番目の変調シンボルを表し、Ｐ０,…，Ｐｖ-１は、ｖ個のＤＭＲＳポートのシリアル番号を表す。
【０２３２】
任意選択で、前記プロセッサ６００はさらに、ネットワーク側によって通知されたＤＭＲＳポートの準コロケーションＱＣＬグループ情報を受信する。
【０２３３】
任意選択で、ＱＣＬグループまたはＣＤＭグループが１つしかない場合、前記Ｐ０<Ｐ１<,…，Ｐｖ-１である。
【０２３４】
任意選択で、複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定する。
【０２３５】
任意選択で、前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合である。
【０２３６】
任意選択で、前記プロセッサ６００以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行する。
【０２３７】
任意選択で、前記ＱＣＬグループ情報は、ＤＭＲＳパターンでは、各コード分割多重ＣＤＭグループとＱＣＬ関係を持つ基準信号に対応する識別子と、ＱＣＬグループに含まれるＣＤＭグループと、ＱＣＬグループに含まれるＤＭＲＳポートリストとのうちの１つを含む。
【０２３８】
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じである。
【０２３９】
任意選択で、前記プロセッサ６００ブロードキャスト、マルチキャストまたは端末固有の方式で前記通知を受信し、前記通知内の無線リソース制御（ＲＲＣ）構成、または、メディアアクセス制御（ＭＡＣ）制御ユニット（ＣＥ）、または、ダウンリンク制御情報（ＤＣＩ）から前記ＤＭＲＳポートのＱＣＬグループ情報を取得する。
【０２４０】
送受信機６１０は、プロセッサ６００の制御下でデータを送受信するように構成される。
【０２４１】
ここで、図８おいて、バスアーキテクチャは、任意の数の相互接続されたバスおよびブリッジを含むことができ、特に、プロセッサ６００によって表される１つまたは複数のプロセッサ及びメモリ６２０によって表されるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送メディアを介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０２４２】
プロセッサ６００は、バスアーキテクチャ及び通常の処理を管理し、メモリ６２０は、プロセッサ８００が動作する際に利用するデータを記憶することができる。
【０２４３】
任意の選択で、プロセッサ６００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）とすることが出きる。
【０２４４】
ネットワーク側では、図９を参照すると、本発明の実施形態で提供される別のデータ送信装置は、
所定の復調基準信号（ＤＭＲＳ）ポート順序付け規則を決定するように構成された決定ユニット１１と、
前記所定のＤＭＲＳポート順序付け規則に従って送信に使用されるＤＭＲＳポートにデータ層をマッピングし、データ層を端末に送信するように構成された送信ユニット１２とを備える。
【０２４５】
端末側では、図１０を参照すると、本発明の実施形態で提供される別のデータ受信装置は、
所定のＤＭＲＳポート順序付け規則を決定するように構成された決定ユニット２１と、
前記所定のＤＭＲＳポート順序付け規則に従って復調基準信号（ＤＭＲＳ）ポートにマッピングされてから送信されたデータ層を受信するように構成された受信ユニット２２とを備える。
【０２４６】
本発明の実施形態は、前述の情報指示または決定方法を実行するためのプログラムを含む、前述のコンピューティングデバイスのためのコンピュータプログラム命令を格納するように構成されたコンピュータ記憶媒体を提供する。
【０２４７】
前記コンピュータ記憶メディアは、磁気メモリ（例えば、フロッピーディスク、ハードディスク、磁気テープ、磁気光学ディスク（ＭＯ）など）、光学メモリ（ＣＤ、ＤＶＤ、ＢＤ、ＨＶＤなど）、半導体メモリ（ＲＯＭ、ＥＰＲＯＭ、ＥＥＰＲＯＭ、不揮発性メモリ（ＮＡＮＤ ＦＬＡＳＨ（登録商標））、ソリッドステートディスク（ＳＳＤ））などを含むがこれらに限定されない、コンピュータにアクセス可能な任意の利用可能なメディアまたはデータ記憶装置であり得る。
【０２４８】
本発明の実施形態で提供される方法は、端末デバイスに適用されてもよく、ネットワークデバイスにも適用されてもよい。
【０２４９】
また、本発明に係る実施例において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【０２５０】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）、または５Ｇ ＮＲにおける基地局（ｇＮＢ）であってもよいが、本発明をそれに限定しない。
【０２５１】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。また、当該製品はコンピュータ使用可能なプログラムコードを含むコンピュータ使用可能な記憶メディア（ディスク記憶装置と光学記憶装置等を含むがそれとは限らない）において実施する。
【０２５２】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム命令を実行し、フロー図における一つ或いは複数のフローおよび／またはブロック図における一つ或いは複数のブロックに指定する機能を実現する。
【０２５３】
これらのコンピュータプログラム命令は、又、コンピュータ或いは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つ或いは複数のフローおよび／またはブロック図における一つ或いは複数のブロックに指定する機能を実現する。
【０２５４】
これらコンピュータプログラム命令はさらに、コンピュータ或いは他のプログラム可能なデータ処理装置設備に実装もできる。コンピュータプログラム命令が実装されたコンピュータ或いは他のプログラム可能設備は、一連の操作ステップを実行することによって、関連の処理を実現し、コンピュータ或いは他のプログラム可能な設備において実行される命令によって、フロー図における一つ或いは複数のフローおよび／またはブロック図における一つ或いは複数のブロックに指定する機能を実現する。
【０２５５】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２５６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２５７】
11  決定ユニット
12  送信ユニット    21  決定ユニット
22  受信ユニット
500  プロセッサ
510  送受信機
520  メモリ
600  プロセッサ
610  送受信機
620  メモリ
630  ユーザーインターフェース
【図１】
2021505022.tif 000086
【図２】
2021505022.tif 000087
【図３】
2021505022.tif 000088
【図４】
2021505022.tif 000089
【図５】
2021505022.tif 000090
【図６】
2021505022.tif 000091
【図７】
2021505022.tif 000092
【図８】
2021505022.tif 000093
【図９】
2021505022.tif 000094
【図１０】
2021505022.tif 000095
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
所定の復調基準信号（ＤＭＲＳ）ポート順序付け規則を決定するステップと、
前記所定のＤＭＲＳポート順序付け規則に従って送信に使用されるＤＭＲＳポートにデータ層をマッピングし、データ層を端末に送信するステップと
を備えることを特徴とするデータ送信方法。
【請求項２】
所定のＤＭＲＳポート順序付け規則に従って送信に使用されるＤＭＲＳポートにデータ層をマッピングし、データ層を端末に送信することは、
多入力多出力（ＭＩＭＯ）の並列送信データ層の数ｖに基づいて、各データ層をシリアル番号に従って以下の送信信号ベクトルに構成し、
【数１】
2021505022.tif 000096
ｖ個のＤＭＲＳポートにより形成される以下の信号ベクトルを決定し、
【数２】
2021505022.tif 000097
以下の式に従ってｖ個のデータ層をｖ個のＤＭＲＳポートにマッピングし、前記データ層を端末に送信し、
【数３】
2021505022.tif 000098
ここで、
【数４】
2021505022.tif 000099
であり、ｉは、各データ層で送信の必要がある
【数５】
2021505022.tif 000100
個の変調シンボルのうちのｉ番目の変調シンボルを表し、Ｐ０,…，Ｐｖ-１は、ｖ個のＤＭＲＳポートのシリアル番号を表し、
前記データ送信方法ではさらに、
ＤＭＲＳポートの準コロケーションＱＣＬグループ情報を決定し、
前記ＱＣＬグループ情報を端末に通知することを特徴とする請求項１に記載のデータ送信方法。
【請求項３】
ＱＣＬグループまたはＣＤＭグループが１つしかない場合、前記Ｐ０<Ｐ１<,…，Ｐｖ-１であり、
または、
複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定することを特徴とする請求項２に記載のデータ送信方法。
【請求項４】
前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合であることを特徴とする請求項３に記載のデータ送信方法。
【請求項５】
以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行することを特徴とする請求項４に記載のデータ送信方法。
【請求項６】
前記ＱＣＬグループ情報は、以下の情報のうちの１つを含む：
ＤＭＲＳパターンでは、各コード分割多重ＣＤＭグループとＱＣＬ関係を持つ基準信号に対応する識別子と、
ＱＣＬグループに含まれるＣＤＭグループと、
ＱＣＬグループに含まれるＤＭＲＳポートリストと
を備え、
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じであることを特徴とする請求項２に記載のデータ送信方法。
【請求項７】
無線リソース制御（ＲＲＣ）構成、または、メディアアクセス制御（ＭＡＣ）制御ユニット（ＣＥ）、または、ダウンリンク制御情報（ＤＣＩ）、ブロードキャスト、マルチキャストまたは端末固有の方式で、前記ＤＭＲＳポートのＱＣＬグループ情報を前記端末に通知することを特徴とする請求項２に記載のデータ送信方法。
【請求項８】
所定の復調基準信号（ＤＭＲＳ）ポート順序付け規則を決定するステップと、
前記所定のＤＭＲＳポート順序付け規則に従ってＤＭＲＳポートにマッピングされて送信されたデータ層を受信するステップと
を備えることを特徴とするデータ受信方法。
【請求項９】
前記所定のＤＭＲＳポート順序付け規則に従ってＤＭＲＳポートにマッピングされて送信されたデータ層を受信することは、
多入力多出力（ＭＩＭＯ）の並列送信データ層の数ｖに基づいて、各データ層をシリアル番号に従って以下の送信信号ベクトルに構成し、
【数６】
2021505022.tif 000101
ｖ個のＤＭＲＳポートにより形成される以下の信号ベクトルを決定し、
【数７】
2021505022.tif 000102
以下の式に従って送信に使用されるＤＭＲＳポートにマッピングされてから送信されたデータ層を受信し、
【数８】
2021505022.tif 000103
ここで、
【数９】
2021505022.tif 000104
であり、ｉは、各データ層で送信の必要がある
【数１０】
2021505022.tif 000105
個の変調シンボルのうちのｉ番目の変調シンボルを表し、Ｐ０,…，Ｐｖ-１は、ｖ個のＤＭＲＳポートのシリアル番号を表し、
前記データ受信方法ではさらに、ネットワーク側によって通知されたＤＭＲＳポートの準コロケーションＱＣＬグループ情報を受信することを特徴とする請求項８に記載のデータ受信方法。
【請求項１０】
ＱＣＬグループまたはＣＤＭグループが１つしかない場合、前記Ｐ０<Ｐ１<,…，Ｐｖ-１であり、
または、
複数のＱＣＬグループまたはＣＤＭグループがある場合、ｖ個のＤＭＲＳポートのシリアル番号の順序付け結果に従ってｖ個のＤＭＲＳポートにより形成される前記信号ベクトルを決定することを特徴とする請求項９に記載のデータ受信方法。
【請求項１１】
前記順序付け結果は以下の方式で得られる：
サブ集合内で、各ＤＭＲＳポートサブ集合内のＤＭＲＳポートのシリアル番号を順序付けし、サブ集合内で、各ＤＭＲＳポートサブ集合に対応するＤＭＲＳポートシリアル番号の順序付け結果を得、
サブ集合内での、各ＤＭＲＳポートサブ集合に対応するＤＭＲＳポートシリアル番号の順序付け結果に基づいて、ＤＭＲＳポートサブ集合間の順序付けを実行し、
前記各ＤＭＲＳポートサブ集合は、各ＣＤＭグループまたはＱＣＬグループに含まれるＤＭＲＳポートにより形成される集合であることを特徴とする請求項１０に記載のデータ受信方法。
【請求項１２】
以下のいずれかの方式で前記ＤＭＲＳポートサブ集合間の順序付けを実行する：
各ＤＭＲＳポートサブ集合における最小のＤＭＲＳポートシリアル番号に基づいて、前記ＤＭＲＳポートサブ集合間の順序付けを実行するか、または、
各ＤＭＲＳポートサブ集合に対応するＣＤＭグループまたはＱＣＬグループのシリアル番号に基づいて、前記ＤＭＲＳポートサブ集合間の順序付けを実行するか、または、
各ＤＭＲＳポートサブ集合に含まれるＤＭＲＳポートの数に基づいて、前記ＤＭＲＳポートサブ集合間の順序付けを実行することを特徴とする請求項１１に記載のデータ受信方法。
【請求項１３】
前記ＱＣＬグループ情報は、
ＤＭＲＳパターンでは、各コード分割多重ＣＤＭグループとＱＣＬ関係を持つ基準信号に対応する識別子と、
ＱＣＬグループに含まれるＣＤＭグループと、
ＱＣＬグループに含まれるＤＭＲＳポートリストと
のうちの１つを含み、
ここで、同じ前記識別子を持つＣＤＭグループに含まれるＤＭＲＳポートは同じＱＣＬグループを形成し、異なるＱＣＬグループのＤＭＲＳポートに対応する前記識別子は異なり、同じＱＣＬグループのＤＭＲＳポートに対応する前記識別子は同じであることを特徴とする請求項９に記載のデータ受信方法。
【請求項１４】
所定の復調基準信号（ＤＭＲＳ）ポート順序付け規則を決定するように構成された決定ユニットと、
前記所定のＤＭＲＳポート順序付け規則に従って送信に使用されるＤＭＲＳポートにデータ層をマッピングし、データ層を端末に送信するように構成された送信ユニットと
を備えることを特徴とするデータ送信装置。
【請求項１５】
所定の復調基準信号（ＤＭＲＳ）ポート順序付け規則を決定するように構成された決定ユニットと、
前記所定のＤＭＲＳポート順序付け規則に従ってＤＭＲＳポートにマッピングされて送信されたデータ層を受信するように構成された受信ユニットと
を備えることを特徴とするデータ受信装置。
【国際調査報告】
2021505022.tif 000106
2021505022.tif 000107
2021505022.tif 000108
2021505022.tif 000109